(57)【要約】【課題】  複数の光電変換集積回路素子を使用する場合、個別に出力信号を伝送すると配線総数が多くなることによる弊害が発生しやすくなる。【解決手段】  複数の光電変換集積回路素子の出力を信号選択回路により選択して出力することにより配線総数を減少させることが可能となる。【選択図】図１
2008176864.tif 000002
【特許請求の範囲】
【請求項１】
第１の光電変換集積回路素子と第２の光電変換集積回路素子と信号選択出力回路素子を光ピックアップ上に有する光ディスク装置であって、
前記信号選択出力回路素子は、
第１の光電変換集積回路素子の光電変換信号出力端子と接続された第１の入力端子と、
第２の光電変換集積回路素子の光電変換信号出力端子と接続された第２の入力端子と、
前記第１の入力端子と前記第２の入力端子から入力された信号のいずれか片方を選択して出力する選択回路と、
前記選択回路の出力信号を出力するための出力端子と、
前記選択回路に選択信号を入力する選択信号入力端子を有し、
光ディスク装置のコントローラからの選択信号に応じて第１の光電変換集積回路素子の光電変換信号と第２の光電変換集積回路素子の光電変換信号出力信号を切り替えて前記出力端子から出力することを特徴とする光ディスク装置。
【請求項２】
第１の光電変換集積回路素子と第２の光電変換集積回路素子を光ピックアップ上に有する光ディスク装置であって、
第１の光電変換集積回路素子は、
第２の光電変換集積回路素子の光電変換信号出力端子と接続された入力端子と、
第１の光電変換集積回路素子の内部の受光素子の光電変換信号と前記入力端子から入力された信号のいずれか片方を選択して出力する選択回路と、
前記選択回路の出力信号を出力するための出力端子と、
前記選択回路に選択信号を入力する選択信号入力端子を有し、
光ディスク装置のコントローラからの選択信号に応じて第１の光電変換集積回路素子の光電変換信号と第２の光電変換集積回路素子の光電変換信号出力信号を切り替えて前記出力端子から出力することを特徴とする光ディスク装置。
【請求項３】
第１の光電変換集積回路素子と第２の光電変換集積回路素子と信号選択出力回路素子を有する光ピックアップであって、
前記信号選択出力回路素子は、
第１の光電変換集積回路素子の光電変換信号出力端子と接続された第１の入力端子と、
第２の光電変換集積回路素子の光電変換信号出力端子と接続された第２の入力端子と、
前記第１の入力端子と前記第２の入力端子から入力された信号のいずれか片方を選択して出力する選択回路と、
前記選択回路の出力信号を出力するための出力端子と、
前記選択回路に選択信号を入力する選択信号入力端子を有し、
前記選択信号に応じて第１の光電変換集積回路素子の光電変換信号と第２の光電変換集積回路素子の光電変換信号出力信号を切り替えて前記出力端子から出力することを特徴とする光ピックアップ。
【請求項４】
第１の光電変換集積回路素子と第２の光電変換集積回路素子を有する光ピックアップであって、
第１の光電変換集積回路素子は、
第２の光電変換集積回路素子の光電変換信号出力端子と接続された入力端子と、
第１の光電変換集積回路素子の内部の受光素子の光電変換信号と前記入力端子から入力された信号のいずれか片方を選択して出力する選択回路と、
前記選択回路の出力信号を出力するための出力端子と、
前記選択回路に選択信号を入力する選択信号入力端子を有し、
前記選択信号に応じて第１の光電変換集積回路素子の光電変換信号と第２の光電変換集積回路素子の光電変換信号出力信号を切り替えて前記出力端子から出力することを特徴とする光ピックアップ。
【請求項５】
信号を入力する信号入力端子と、
内部の受光素子の光電変換信号と前記入力端子から入力された信号のいずれかを選択して出力する選択回路と、
前記選択回路の出力信号を出力するための出力端子と、
前記選択回路に選択信号を入力する選択信号入力端子と、を有し、
前記選択信号に応じて光電変換集積回路素子の内部の受光素子の光電変換信号と前記入力端子から入力された信号のいずれかを切り替えて前記出力端子から出力することを特徴とする光電変換集積回路素子。
【発明の詳細な説明】
【技術分野】
【０００１】
本発明は、光ディスク装置、光ピックアップおよび光電変換集積回路素子に関する。
【背景技術】
【０００２】
本技術分野の背景技術としては、例えば特開平１１−７６３５号公報がある。本公報には「複数の光学系における受光素子のＰＤｄ１１〜ｄ１５およびＰＤｄ２１〜ｄ２５からの出力のうち、同様な用途の出力同士を、相互に並列に接続する。また、各発光素子への入力、および各受光素子からの出力を、スイッチＳＷ１〜ＳＷ４により適宜選択的に切り換える」と記載がある。
【０００３】
【特許文献１】特開平１１−７６３５号公報
【発明の開示】
【発明が解決しようとする課題】
【０００４】
従来は、複数の光電変換集積回路素子を光ピックアップ上に有する光ディスク装置にお  
【０００５】
いては、それぞれの光電変換集積回路素子の出力信号は、個別に光ピックアップから光ディスク装置の回路基板にフレキシブルプリント基板あるいはフレキシブルフラットケーブルで伝送されていた。
【０００６】
光ディスク装置がＣＤ、ＤＶＤ、さらにはＢｌｕ−ｒａｙ、ＨＤ ＤＶＤ等の多種のメディアに対応するようになると、一つの光ピックアップに搭載される光電変換素子の種類が増加する。例えばＢｌｕ−ｒａｙ、ＨＤ ＤＶＤなどの４０５ｎｍの波長を持つ青紫色のレーザーを用いる装置では、波長が紫外線に近い短波長の高エネルギー光が、光電変換素子の微小領域に集光されて使われるため、光電変換素子に光が入射する光路中にあるプラスチックは黄変、白濁等の劣化が発生することが知られている。そのため青紫色のレーザーを用いる装置の光電変換素子の光線入射部分は石英ガラスなど高エネルギー光でも劣化しにくい材料でカバーされている。これは光電変換素子として従来のＣＤやＤＶＤで使用されている透明プラスチックモールド品とは別のものを使用せざるを得ないことを意味し、光電変換素子の数を増やす要因となっている。
【０００７】
さらにＢｌｕ−ｒａｙ、ＨＤ ＤＶＤ用の光学系が追加された結果、光学系が複雑となるため、光学部品の配置の制約から光電変換素子が光ピックアップの各所に分散して配置せざるを得なくなる。これらの理由から、多種類の光ディスクに対応する装置の光ピックアップに搭載される光電変換素子の数が増加する傾向にある。これらはＢｌｕ−ｒａｙ、ＨＤ ＤＶＤ等に対応する光ディスクに固有の新規の課題として捉えることができる。
【０００８】
更に光ディスクの記録、再生速度の高速化に伴い、光ピックアップのＲＦ信号検出系全体として信号周波数帯域の広帯域化が要求されるようになってきた。例えばＢｌｕ−ｒａｙ、ＨＤ ＤＶＤなどの高精細画像に対応可能な光ディスク装置では、データビットレートを上げるために記録、再生の信号周波数が高くせざるを得ず、例えば４倍速のＢｌｕ−ｒａｙディスク装置では１００ＭＨｚを超える信号周波数帯域が必要とされる。
【０００９】
そこで光電変換素子自体の広帯域化とともに、信号伝送路における特性インピーダンスの管理、信号伝送路と信号の送端と受端の回路デバイスとのインピーダンス整合などを行い、信号再生系全体として広帯域化を図る必要が生じてきている。そのためには具体的には高周波信号配線の近傍に高周波的に接地された低インピーダンス配線を配置する必要がある。
【００１０】
更に伝送する複数の信号間に周波数特性ずれ、群遅延時間差などがあると高周波信号を差動伝送する場合や、加減算などの演算処理を行った場合に波形変動を発生して望ましくない影響を与えることも知られている。そのため、従来以上に複数の伝送路の周波数特性、群遅延特性を管理する必要もある。そのため信号パターン配置設計の点から、接地パターンの適切な位置への配置などで配線総数が増加する傾向にある。これらもＢｌｕ−ｒａｙ、ＨＤ ＤＶＤ等に対応する光ディスクに固有の新規の課題として捉えることができる。
【００１１】
さて、従来から各光電変換素子の出力信号は個別の信号配線で光ディスク装置の回路基板に伝送されており、現在もこの状況は続いている。そのため、上述した理由からＢｌｕ−ｒａｙ、ＨＤ ＤＶＤ等の最新の光ディスク装置では、光ピックアップと光ディスク装置の回路基板との間の配線総数は、７０本を超えるものも現れている。
【００１２】
光ピックアップが可動するように出来ている光ディスク装置では、光ディスク装置の回路基板と光ピックアップの間の配線は柔軟性が求められるため、フレキシブルプリント基板あるいはフレキシブルフラットケーブルが用いられている。このため、多数の信号配線を接続することによる、配線部の幅広化による屈曲性の低下、配線部分の占める面積の増加による光ディスク基板上の部品配置の自由度の低下、コネクタ部における電気的接触の信頼性の低下、信号配線部材コストの増加など問題点が増えてきている。
【００１３】
本発明は、光ディスク装置の回路基板と光ピックアップの間の配線数を低減した光ディスク装置、光ピックアップおよび光電変換集積回路素子を提供することを目的とする。
【課題を解決するための手段】
【００１４】
上記目的は、その一例として、光電変換集積回路素子の出力信号を選択して出力することで達成できる。
【発明の効果】
【００１５】
本発明によれば、光ディスク装置の回路基板と光ピックアップの間の配線数を低減した光ディスク装置、光ピックアップおよび光電変換集積回路素子を提供できる。
【発明を実施するための最良の形態】
【００１６】
以下、本発明の実施形態例を、図を用いて説明する。
【００１７】
以下の実施例では光電変換集積回路素子を例にして説明するが、本発明はこれに限るものではなく、本光電変換集積回路素子を搭載した光ピックアップや、さらにその光ピックアップを搭載した光ディスク装置にも応用できる。
【００１８】
図１は、第１の実施例を示す。
【００１９】
図１は２つの光電変換集積回路素子と信号選択出力回路素子を有する光ピックアップの光電変換信号出力のブロック図を示す。
【００２０】
第１の光電変換集積回路素子１の光電変換信号出力端子は信号選択出力回路素子３の第１の入力端子と接続され、第２の光電変換集積回路素子２の光電変換信号出力端子は信号選択出力回路素子３の第２の入力端子と接続される。
【００２１】
また信号選択出力回路素子３の選択信号入力端子は光ディスク装置のコントローラ４の選択信号出力端子と接続される。
【００２２】
図３は、第１の実施例の信号選択出力回路素子３の内部ブロック図である。
【００２３】
信号選択出力回路素子３は第１の入力端子から入力された信号と第２の入力端子から入力された信号のいずれか片方を選択信号入力端子３３から入力された選択信号５０に応じて選択して出力する信号選択回路（スイッチ）３１と、この信号選択回路（スイッチ）３１の出力を必要なレベルまで増幅する信号増幅回路（アンプ）３２から構成される。
【００２４】
信号選択出力回路素子３の内部の信号選択回路（スイッチ）３１は前記第１の入力端子と前記第２の入力端子から入力された信号のいずれか片方を選択信号入力端子からの選択信号５０に応じて切り替えて出力する。
【００２５】
信号選択出力回路素子３の内部の信号増幅回路（アンプ）３２は信号選択回路（スイッチ）３１の出力信号を適切な信号レベルまで増幅し、伝送路とインピーダンス整合を図った上で信号選択出力回路素子３の出力端子に出力する。
【００２６】
その結果、信号選択出力回路素子３の出力端子からは、第１の光電変換集積回路素子の光電変換信号と第２の光電変換集積回路素子の光電変換信号出力信号のいずれか片方が選択信号に応じて切り替えられ、適切な信号レベルにされ、伝送路とインピーダンス整合されて出力される。
【００２７】
これにより、第１と第２の光電変換集積回路素子が個別にその出力を伝送路に接続していた場合と比較して、信号伝送に必要な伝送線路数をほぼ半減することが可能となる。
【００２８】
また、必要に応じ信号増幅回路（アンプ）３２にその出力インピーダンスを制御する機能を設け、出力インピーダンス制御信号入力端子３４に入力する出力インピーダンス制御信号によって出力インピーダンスを制御して、使用する伝送路のインピーダンスとの整合を図ることにより、伝送路とのインピーダンス整合をより良くする事が可能となる。
【００２９】
次に、図２は、第２の実施例を示す。
【００３０】
図２は２つの光電変換集積回路素子を有する光ピックアップの光電変換信号出力のブロック図を示す。
【００３１】
第１の光電変換集積回路素子５の光電変換信号入力端子は第２の光電変換集積回路素子２の光電変換信号出力端子と接続される。
【００３２】
また第１の光電変換集積回路素子５の選択信号入力端子は光ディスク装置のコントローラ４の選択信号出力端子と接続される。
【００３３】
第１の光電変換集積回路素子５の内部の信号選択回路５１は第１の光電変換集積回路素子５の内部の光電変換素子５２の出力信号と前記光電変換信号入力端子から入力された信号のいずれか片方を選択信号入力端子からの選択信号に応じて切り替えて、伝送路とインピーダンス整合を図った上で光電変換集積回路素子５の出力端子に出力する。
【００３４】
その結果、光電変換集積回路素子５の出力端子からは、光電変換素子５２の出力信号と第２の光電変換集積回路素子の光電変換信号出力信号のいずれか片方が選択信号に応じて切り替えられ、適切な信号レベルにされ、インピーダンス整合されて出力される。
【００３５】
これにより、第１と第２の光電変換集積回路素子が個別にその出力を伝送路に接続していた場合と比較して、信号伝送に必要な伝送線路数をほぼ半減することが可能となる。
【００３６】
なお、信号選択回路５１の構成については第１の実施例で説明した信号選択出力回路素子３の構成と同一であるため説明は省略する。
【００３７】
なお、上記の各実施例の説明ではそれぞれの光電変換集積回路素子から出力される信号の内容については言及していなかったが具体的には、ＲＦ信号、フォーカスサーボ信号、トラッキングサーボ信号、チルトサーボ信号、球面収差サーボ信号、およびこれらの信号を生成するための個々の光電変換素子の出力信号などが該当する。これらの信号は直接、光電変換集積回路素子から出力される場合もあるが、光電変換集積回路素子からはこれらを生成するための元となる信号が出力され、複数の信号間の加減算などの演算処理によって生成される場合もある。上記、演算処理を行う部分は、光電変換集積回路素子内にあってもよく、また光ピックアップ以外のプリント基板上にあってもよい。要は複数の光電変換集積回路素子から出力された複数の信号が１つの信号配線を共用化することで、信号配線数を共用化しない場合と比較して減少させることができればよい。
【００３８】
また、実際の光ピックアップにおいて光電変換集積回路素子に接続される電気信号は上述以外にもゲイン切り替え信号、スタンバイ制御信号等があるが、これらについては本発明とは直接の関係は無いので説明を省略する。
【００３９】
次に、図４は、第３の実施例を示す。
【００４０】
図４は第１の実施例、第２の実施例を適用した変換集積回路素子を有する光ディスク装置のブロック図を示す。マイクロコンピュータ５６から得たディスク種別判別情報をもとにコントローラ４は使用すべき光電変換集積回路素子または光電変換素子を切り替えるための選択信号５０を出力する。そして選択信号５０に応じて光ピックアップ４２内部の信号選択出力回路素子３または信号選択回路５１はスイッチ３１を切り替えて第１もしくは第２の光電変換信号のいずれか片方を選択して出力する。
【００４１】
以上の説明の通り、光ピックアップ上に信号選択回路を搭載し、これにより光電変換集積回路素子の出力信号を選択して出力することにより信号伝送線路数を減少させることができ、配線部の幅広化による屈曲性の低下、配線部分の占める面積の増加による基板上の部品配置の自由度の低下、コネクタ部における電気的接触の信頼性の低下、信号配線部材コストの増加などの問題点を軽減することが可能となる。
【図面の簡単な説明】
【００４２】
【図１】本発明の第１の実施例における光ピックアップの光電変換信号出力のブロック図
【図２】本発明の第２の実施例における光ピックアップの光電変換信号出力のブロック図
【図３】本発明の第１の実施例における信号選択出力回路素子３のブロック図
【図４】本発明の第１の実施例、第２の実施例を適用した光ディスク装置のブロック図
【符号の説明】
【００４３】
１：光電変換集積回路素子
【００４４】
２：光電変換集積回路素子
３：信号選択出力回路素子
４：コントローラ
５：光電変換集積回路素子
【図１】
2008176864.tif 000003
【図２】
2008176864.tif 000004
【図３】
2008176864.tif 000005
【図４】
2008176864.tif 000006